(57)【特許請求の範囲】
【請求項１】
流量を計測するための計測部を有する通常流路と、この通常流路を通して流体が供給される流体機器と、前記計測部をバイパスして設けられたバイパス流路と、前記計測部に配設され、前記通常流路を通して流れる流体の流量を計測するための流量メータと、前記バイパス流路を通して流れる流体の流量を計測するための供給流量計測手段と、前記流量メータの計測値及び前記供給流量計測手段の演算値に基づいて前記流体機器に送給される流体の総流量を演算する総流量演算手段と、を具備する流体流量計測システムであって、
前記供給流量計測手段は、単位時間当たりの流量を記憶するための単位流量記憶部と、前記単位流量記憶部に記憶された単位流量及び前記バイパス流路を通して流体が流れる時間に基づいて流量を演算する供給流量演算手段とを含むことを特徴とする流体流量計測システム。
【請求項２】
前記流量メータの計測値は通信手段を介して遠隔管理センタに送信され、前記供給流量計測手段の前記供給流量演算手段及び前記総流量演算手段は前記遠隔管理センタに設けられ、前記遠隔管理センタにて、前記バイパス流路を通して流れる流体の流量及び流体機器に供給される総流量が演算されることを特徴とする請求項１記載の流体流量計測システム。
【請求項３】
前記単位流量記憶部に記憶される単位時間当たりの流量は、前記流量メータの最大流量値であることを特徴とする請求項１又は２記載の流体流量計測システム。
【請求項４】
前記単位流量記憶部に記憶される単位時間当たりの流量は、バイパス流路に切り換わる直前における前記流量メータの計測単位流量値であることを特徴とする請求項１又は２記載の流体流量計測システム。
【請求項５】
前記バイパス流路には、そこを流れる流体の流量を調整するための流量調整弁が配設され、前記単位流量記憶部に記憶される単位時間当たりの流量は、前記流量調整弁のバルブ開度に対応する流量値であることを特徴とする請求項１又は２記載の流体流量計測システム。
【発明の詳細な説明】
【０００１】
【発明の属する技術分野】
本発明は、流体機器に供給される流体の総流量を計測する流体流量計測システムに関する。
【０００２】
【従来の技術】
工業用加熱炉に装備される燃焼バーナ等の流体機器に燃料用ガス等の流体を供給する流体供給システムは、流体機器に流体を送給する流体流路と、この流体流路の計測部に配設された流量メータとを備え、流量メータによって、流体機器に供給される流体の流量を計測している。この流量メータは、一般に、ルーツ式、タービン式等のものが用いられるが、この流量メータは精密機器であるため、計測流体にダスト等の異物が混入していると損傷し易く、それ故に、この流量メータの上流側に、異物を除去するための例えばメッシュ部を有するストレーナが配設されることが多い。
【０００３】
しかし、このようなストレーナを配設した場合、流体に混入している異物はメッシュ部によって除去されるが、除去された異物がメッシュ部に除々に溜まり、メッシュ部の目詰まりの原因となる。メッシュ部の目詰まりが進行すると、流体流路の圧力損失が大きくなって流体が正常に送給されなくなり、この目詰まりが更に進行すると、場合によっては流体の供給が停止する。
このため、流体の供給不良が発生する（又は供給不良が発生しそうな状態となる）と、ストレーナを分解してメッシュ部に溜まった異物を除去し、流体の流れが正常となるように点検、修理している。このストレーナの点検、修理時に、流体機器への流体供給が一次的に停止されるようになるが、流体供給の一時的停止が望ましくない場合、流体流路の計測部をバイパスしてバイパス流路を設け、ストレーナの点検、修理にバイパス流路を通して流体を供給している。
【０００４】
【発明が解決しようとする課題】
しかしながら、このようなバイパス流路を設けた場合、次の通りの解決すべき問題が発生する。ストレーナの点検、修理作業中、流体機器への流体の供給はバイパス流路を通して行われるが、このバイパス流路には流量メータが設けられおらず、バイパス流路を通して供給される流体の流量を把握することができず、このことに起因して流体機器に供給される流体の総流量を把握することができない。
【０００５】
この問題を解消するためにバイパス流路に流量メータを設置することも考えられるが、このように構成した場合、流体流路の流量メータ及びストレーナとバイパス流路の流量メータ及びストレーナとが必要になり、設置、メンテナンス等のコストが高くなる。
本発明の目的は、流体機器に供給される流体の総流量を比較的簡単に且つ安価に計測することができる流体流量計測システムを提供することである。
【０００６】
【課題を解決するための手段】
本発明は、流量を計測するための計測部を有する通常流路と、この通常流路を通して流体が供給される流体機器と、前記計測部をバイパスして設けられたバイパス流路と、前記計測部に配設され、前記通常流路を通して流れる流体の流量を計測するための流量メータと、前記バイパス流路を通して流れる流体の流量を計測するための供給流量計測手段と、前記流量メータの計測値及び前記供給流量計測手段の演算値に基づいて前記流体機器に送給される流体の総流量を演算する総流量演算手段と、を具備する流体流量計測システムであって、
前記供給流量計測手段は、単位時間当たりの流量を記憶するための単位流量記憶部と、前記単位流量記憶部に記憶された単位流量及び前記バイパス流路を通して流体が流れる時間に基づいて流量を演算する供給流量演算手段とを含むことを特徴とする。
【０００７】
本発明に従えば、バイパス流路を通して流れる流体の流量は供給流量計測手段によって計測され、総流量演算手段は、供給流量計測手段の演算値と通常流路の流量を計測する流量メータの計測値に基づいて流体機器に供給される流量を計測し、かくして流体機器に供給される流体の総流量を計測することができる。また、供給流量計測手段は、単位時間当たりの流量とバイパス流路を通して流体が流れる時間に基づいて流量を演算するので、比較的簡単に且つ比較的に正確にバイパス流量を流れる流体の流量を計測することができ、これによって流体機器の供給される流体の総流量も比較的簡単に且つ比較的正確に計測することができる。
【０００８】
また、本発明では、前記流量メータの計測値は通信手段を介して遠隔管理センタに送信され、前記供給流量計測手段の前記供給流量演算手段及び前記総流量演算手段は前記遠隔管理センタに設けられ、前記遠隔管理センタにて、前記バイパス流路を通して流れる流体の流量及び流体機器に供給される総流量が演算されることを特徴とする。
本発明に従えば、流量メータの計測値が遠隔管理センタに送信される。この遠隔管理センタには供給流量計測手段の供給流量演算手段及び総流量演算手段が設けられ、従って、遠隔管理センタにて流体機器に供給される流体の流量を計測して管理することができる。このようなシステムは、例えば、流体機器として工業用加熱炉のガス燃焼バーナ、遠隔管理センタとしてガス集中管理センタとするシステムに適用することができる。
【０００９】
また、本発明では、前記単位流量記憶部に記憶される単位時間当たりの流量は、前記流量メータの最大流量値であることを特徴とする。
本発明に従えば、単位時間当たりの流量が流量メータの最大流量値に設定されるので、流体機器の定常運転時に通常流路を通して流れる流体の流量がほぼ流量メータの最大値付近であるシステムにおいて、バイパス流路を通して流れる流体の流量を比較的簡単に且つ正確に計測することができる。
【００１０】
また、本発明では、前記単位流量記憶部に記憶される単位時間当たりの流量は、バイパス流路に切り換わる直前における前記流量メータの計測単位流量値であることを特徴とする。
本発明に従えば、単位時間当たりの流量がバイパス流路に切り換わる直前における流量メータの計測単位流量値に設定されるので、流体機器が定常運転されるシステムにおいて、バイパス流路を通して流れる流体の流量をそのシステムに応じて比較的簡単に且つ正確に計測することができる。
【００１１】
更に、本発明では、前記バイパス流路には、そこを流れる流体の流量を調整するための流量調整弁が配設され、前記単位流量記憶部に記憶される単位時間当たりの流量は、前記流量調整弁のバルブ開度に対応する流量値であることを特徴とする。
本発明に従えば、単位時間当たりの流量がバイパス流路に配設された流量調整弁のバルブ開度に対応する流量値であるので、バイパス流路を通して流れる流体の流量を正確に計測することができる。
【００１２】
【発明の実施の形態】
以下、添付図面を参照して、本発明に従う流体流量計測システムの実施形態について説明する。図１は、本発明に従う流体流量計測システムの一実施形態の全体を簡略的に示すブロック図であり、図２は、この流体流量計測システムの制御ユニットを示すブロック図であり、図３は、図２の制御ユニットの表示手段を簡略的に示す正面図であり、図４は、図１の流体流量計測システムにおけるバイパス流路の流量計測の流れを示すフローチャートである。
【００１３】
図１において、図示の流体供給システムは、例えば工業用加熱炉のガス燃焼バーナの如き流体機器２に燃料用ガスの如き流体を供給するためのシステムであり、流体機器２に流体を供給する通常流路４を有し、ガス供給源（例えば地中埋設管）の如き流体供給源（図示せず）からの流体が、矢印６で示すように通常流路４を通して流体機器２に供給される。
この通常流路４には、そこを流れる流体の流量を計測するための計測部４ａが設けられ、この計測部４ａに、流体の流量を計測する流量メータ８が配設されている。流量メータ８は、例えばルーツ式、タービン式等のものが用いられる。この流量メータ８の上流側にはストレーナ１０が配設され、ストレーナ１０は、通常流路４を通して流れる流体に混入したダスト等の異物を除去し、従って、異物が流量メータ８に流れるのを防止する。
【００１４】
このストレーナ１０に関連して、そのメッシュ部（図示せず）の目詰まりを検知するための目詰まり検知手段１２が設けられている。この実施形態では、目詰まり検知手段１２は、ストレーナ１０の上流側に配設された第１センサ１４と、ストレーナ１０の下流側に配設された第２センサ１６とから構成され、第１及び第２センサ１４，１６としては、例えば、通常流路４の計測部４ａを流れる流体の圧力を検出する圧力検出センサが用いられる。このような目詰まり検知手段１２においては、第１及び第２センサ１４，１６の検出圧力値を利用してストレーナ１０の目詰まり状態を検知する。即ち、ストレーナ１０のメッシュ部の目詰まりが少ないと、ストレーナ１０における圧力損失は小さく、従って第１センサ１４の圧力検出値と第２センサ１６の検出圧力値との差は小さい。これに対して、ストレーナ１０の目詰まりが進行すると、このストレーナ１０における圧力損失が大きくなり、従って第１センサ１４の検出圧力値と第２センサ１６の検出圧力値との差が大きくなる。このようにストレーナ１０の目詰まり状態に応じて第１及び第２センサ１４，１６の検出圧力値の差が変化するので、この検出圧力値差を利用してストレーナ１０の目詰まりを検知することができる。
【００１５】
通常流路４の計測部４ａをバイパスしてバイパス流路１８が設けらている。この流体供給システムでは、流体供給源（図示せず）からの流体が通常流路４及びバイパス流路１８を通して選択的に供給されるように、更に、次の通り構成されている。通常流路の計測部４ａに主流路開閉手段が設けられ、この主流路開閉手段が第１及び第２開閉弁２０，２２から構成され、第１開閉弁２０は第１センサ１４の上流側に、第２開閉弁２２は流量メータ８の下流側に配設される。第１及び第２開閉弁２０，２２が開状態であると、流体供給源からの流体は通常流路４の計測部４ａを通して流れ、第１及び第２開閉弁２０，２２が閉状態であると、通常流路４の計測部４ａを通しての流体の供給が阻止される。また、バイパス流路１８にバイパス開閉弁２４が配設され、バイパス開閉弁２４が開状態であると、バイパス流路１８を通しての流体の流れが許容され、バイパス流路１８が閉状態であると、バイパス流路１８を通しての流体の流れが阻止される。
【００１６】
流体機器２に供給される流体の総流量を計測する流体流量計測システムは、このような流体供給システムに適用される。図示の流体供給システムは、上述した流量メータ８に加えて制御ユニット２６を含んでいる。図２をも参照して、この実施形態では、例えばマイコンから構成される制御ユニット２６は、作動切換手段２８、メータ計測手段３０及び流量演算手段３２を備えている。作動切換手段２８は第１及び第２開閉弁２０，２２とバイパス開閉弁２４とを選択的に開状態にし、第１及び第２開閉弁２０，２２を開状態にするとバイパス開閉弁２４を閉状態にし（通常流路４の計測部４ａを通して流体が流れる）、第１及び第２開閉弁２０，２２を閉状態にするとバイパス開閉弁２４を開状態にする（バイパス流路１８を通して流体が流れる）。また、メータ計測手段３０は、流量メータ８からの検出信号に基づいて、通常流路４の計測部４ａを流れる流体の流量を計測し、計測した計測値が流量演算手段３２に送給される。
【００１７】
図示の流量演算手段３２は、バイパス流路１８を流れる流体の流量を計測するための供給流量計測手段３４と、流体機器２に供給される流体の総流量を計測するための総流量演算手段３６とを有し、供給流量計測手段３４は、時計手段３８、時間記憶部４０、単位流量記憶部４２及び供給流量演算手段４４を含んでいる。時計手段３８は時刻を刻み、時間記憶部４０は時計手段３８が刻む時刻、この形態ではバイパス流路１８を通しての流体の流れが開始する時刻（バイパス開閉弁２４が開状態となり、第１及び第２開閉弁２０，２２が閉となる時刻）及びバイパス流路１８を通しての流体の流れが終了する時刻（第１及び第２開閉弁２０，２２が開状態になり、バイパス開閉弁２４が閉状態になる時刻）を記憶する。単位流量記憶部４２は、流体機器２に供給される単位時間当たりの流量を記憶する。この実施形態では、後述する如く、流体の流れが通常流路４の計測部４ａからバイパス流路１８に切り換えられる直前の流量メータ８の計測単位流量値が、単位時間当たりの流量として記憶される。供給流量演算手段４４は、時間記憶部４０に記憶された開始時刻からの経過時間と単位流量記憶部４２に記憶された単位流量に基づいてバイパス流路１８を流れる流体の流量を演算する。また、総流量演算手段３６は、流量メータ８からの計測信号に基づいてメータ計測手段３０にて計測された計測流量値と供給流量演算手段４４によって演算された演算流量値に基づいて流体機器２に供給された流体の総流量を演算する。
【００１８】
この制御ユニット２６は、更に、表示手段４６及びリセット手段４８を含んでいる。表示手段４６は、例えば図３に示す通りに構成され、３つの表示部５０，５２，５４を備えている。最上位の表示部５０は流体機器２に供給される流体の総流量を表示し、中間の表示部５２は通常流路４の計測部４ａを通して供給される流体の流量、換言すると流量メータ８によって計測された流量を表示し、最下位の表示部５６はバイパス流路１８を通して供給される流体の流量、換言すると供給流量計測手段３４によって演算計測された流量を表示する。これら表示部５０，５２，５４は、例えば、液晶表示装置、機械的表示装置等から構成される。また、リセット手段４８は、例えばリセットスイッチから構成され、このリセット手段４８を操作することによって、後述する如く、流体の流れがバイパス流路１８から通常流路４に切り換えられる。
【００１９】
次に、主として図１、図２及び図４を参照して、上述した流体流量計測システムによる流量計測の流れを説明する。ストレーナ１０が正常に機能し、通常流路４の計測部４ａを通して流体が流れているとき（このとき、計測部４ａの第１及び第２開閉弁２０，２２は開状態に保持され、バイパス流路１８のバイパス開閉弁２４は閉状態に保持されている）には、流量メータ８により流量の計測が行われる（ステップＳ１）。即ち、流量メータ８からの計測信号が制御ユニット２６のメータ計測手段３０に送給され、このメータ計測手段３０は上記計測信号に基づいて流体の流量を演算し、メータ計測手段３０からの計測値信号が流量演算手段３２に送給される。流量演算手段３２の総流量演算手段３６は、メータ計測手段３０による計測流量値と供給流量計測手段３４による演算流量値（バイパス流路１８を通して流体が流れていない場合、この演算流量値は零（ゼロ）となる）との和、即ち総流量を演算し、この流量演算手段３２は、総流量演算手段３６により演算された総流量を表示手段４６の最上位の表示部５０（図３）に表示するとともに、メータ計測手段３０により演算した計測流量値を表示手段４６の中間の表示部５２に表示する。
【００２０】
流体が通常流路４の計測部４ａを通して流れ、流量メータ８による流量計測が行われている間、ストレーナ１０のメッシュ部の目詰まり検知が行われる（ステップＳ２）。この目詰まりの検知は、第１及び第２センサ１４，１６の検出圧力信号を利用して行われる。ストレーナ１０の目詰まりが進行し、第１及び第２センサ１４，１６の検出圧力の差が大きくなって所定値を超えると、ステップＳ３からステップＳ４に進み、制御ユニット２６は目詰まり信号を生成し、この目詰まり信号に基づいて単位時間流量の検出が行われる。目詰まり信号が生成されると、時計手段３８が所定時間、例えば６０秒を計時し、この期間に流量メータ８が計測する流量（メータ計測手段３０によって演算される計測流量）が単位流量記憶部４２に格納され、バイパス流路１８に切り換わる直前の流体の流量値が単位時間流量として記憶される（ステップＳ５）。
【００２１】
次いで、目詰まり発生信号に基づいて作動切換手段２８が流路切換信号を生成し、この流路切換信号が第１及び第２開閉弁２０，２２並びにバイパス開閉弁２４に送給される。かくすると、まず、バイパス開閉弁２４が開状態になり、バイパス流路１８を通しての流体の供給が開始される。次いで、第１及び第２開閉弁２０，２２が閉状態になり、通常流路４の計測部４ａを通しての流体の供給が停止し、流体供給源（図示せず）からの流体は通常流路４及びバイパス流路１８を通して流体機器２に供給される（ステップＳ６）。
【００２２】
このようにしてバイパス流路２４を通しての流体の供給が開始すると、時計手段３８が示す時刻が、供給流量計測手段３４の時間記憶部４０に記憶される（ステップＳ７）。そして、供給流量演算手段３６によってバイパス流路１８を流れる流体の流量の演算が行われる。供給流量演算手段４４は、単位流量記憶部４２に記憶された単位時間流量（Ｆ）と時間記憶部４０に記憶された切換時刻からの経過時間（Ｔ）との積（Ｆ×Ｔ）を演算し、この積をバイパス流路１８を流れた流体の流量として計測し、この流量値が表示手段４６の最下位の表示部５４（図３）に表示される（ステップＳ９）。このとき、総流量演算手段３６は、今まで通常流路４を通して供給された流体の流量（この流体流量は、中間の表示部５２（図３）に表示されている）にバイパス流路１８を通して送給された流量を加算し、この加算値が流体機器２に供給された総流量として表示手段４６の最上位の表示部５０（図３）に表示される。この供給流量計測手段３４による流量の計測は、流体がバイパス流路１８を通して供給される間継続して行われる。
【００２３】
バイパス流路１８を通して流体を流体機器２に供給する間にストレーナ１０の点検、修理を行って、そのメッシュ部に溜まっていた異物を除去し、作業者が作業終了後に制御ユニット２６のリセット手段４８を操作する（ステップＳ１０）と、リセット信号が生成され、このリセット信号に基づいて供給流量計測手段３４はバイパス流路１８を流れる流体の流量の計測を終了し（ステップＳ１２）、この終了時の時刻が供給流量計測手段３４の時間記憶部４０に記憶さる（ステップＳ１３）。このようにして、時間記憶部４０には、バイパス流路１８を通して流体の供給が開始された開始時間と、その供給が終了した終了時間とが記憶される。
【００２４】
その後、バイパス流路１８から通常流路４への流路の切り換えが行われる（ステップＳ１４）。リセット信号が生成されると、作動切換手段２８は流路切換信号を生成し、この流路切換信号が第１及び第２開閉弁２０，２２並びにバイパス開閉弁２４に送給される。かくすると、第１及び第２開閉弁２０，２２が開状態になり、通常流路４の計測部４ａを通しての流体の供給が開始される。次いで、バイパス開閉弁２４が閉状態になり、バイパス流路１８を通しての流体の供給が停止し、流体供給源（図示せず）からの流体は通常流路４の計測部４ａを通して流体機器２に供給され、ステップＳ１に戻って、計測部４ａを流れる流体の流量は、再び、流量メータ８によって計測される。
【００２５】
上述した実施形態では、通常流路４の計測部４ａに設置される制御ユニット２６に表示手段４６を設け、この制御ユニット２６おいて流体機器２に供給される流体の流量を表示するようにしている。このような場合、流体の使用量を検針する検針者は、制御ユニット２６まで行って使用量を検針しなければならず、その検針作業が煩雑となる。このような検針作業をなくすために、例えば図５に示すように構成するようにしてもよい。尚、図５に示す実施形態において、図１〜図４に示す実施形態と実質上同一のものには同一の参照番号を付し、その説明を省略する。
【００２６】
図５において、この実施形態の流体流量計測システムは、図１と同様の流体供給システムに適用され、通常流路４の計測部４ａ（図１参照）に設置される制御ユニット２６Ａに加えて、例えば工場の集中管理センタなどの如き遠隔管理センタ７２が設けられ、制御ユニット２６Ａと遠隔管理センタ７２との間で無線又は有線による通信でもって情報の伝達が行われる。
図示の制御ユニット２６Ａは、情報の送受信を行うための通信手段７４を備え、その他の基本的構成は、図１〜図４に示す実施形態のものと実質上同一である。また、遠隔管理センタ７２には、小型コンピュータの如き制御手段７６が設けられ、この制御手段７６に関連して、入力手段７８、表示手段８０、警報手段８２及び通信手段８４が設けられている。入力手段７８は各種操作スイッチ、キーボード等から構成され、表示手段８０は液晶表示装置、ＣＲＴ等から構成され、計測した流体の各種流量を表示する。この場合、上述した実施形態と同様に、通常流路４の計測部４ａ（図１参照）を通して流れる流体の流量、バイパス流路１８を通して流れる流体の流量及びこれら流量を加算した総流量を表示する。警報手段８２は警報ランプ、警報ブザー等から構成され、ストレーナ１０（図１参照）にて目詰まりが発生すると警報を発して管理センタ７２の管理者に目詰まりが発生したことを知らせる。また、通信手段８４は、制御ユニット２６Ａとの間で情報の伝達を行う。
【００２７】
次に、図５とともに図６を参照して、この流体流量計測システムによる流量計測の流れを説明する。ストレーナ１０（図１参照）が正常に機能し、通常流路４の計測部４ａ（図４参照）を通して流体が流れているときには、流量メータ８（図１参照）により流量の計測が行われ（ステップＳ２１）、この計測流量値信号が遠隔管理センサ７２に送信される（ステップＳ２２）。流量の計測は上述したと同様に行われ、制御ユニット２６Ａのメータ計測手段３０は流量メータ８からの計測信号に基づいて流体の流量を演算し、総流量演算手段３６は、メータ計測手段３０による計測流量値と供給流量計測手段３４による演算流量値との和、即ち総流量を演算し、この流量演算手段３２は、この総流量を最上位の表示部５０（図３）に表示するとともに、メータ計測手段３０により演算した計測流量値を中間の表示部５２（図３）に表示する。この総流量値信号及び計測流量値信号は制御ユニット２６Ａの通信手段７４及び遠隔管理センサ７２の通信手段８４を介して制御手段７６に送給され、制御手段７６は、これら総流量値及び計測流量値を表示手段８０に表示する。尚、この表示は、入力手段７８を適宜操作することによって行うことができ、またその表示形態も適宜選択することができる。このようにして流量メータ８によって計測された流量が遠隔管理センタ７２の表示手段８０に表示される。
【００２８】
流量メータ８による流量計測が行われている間、上述したと同様にしてストレーナ１０のメッシュ部の目詰まり検知が行われ（ステップＳ２３）、目詰まりが発生するまで、通常流路４の計測部４ａを通して流体が供給され、上述したようにして流量メータ８による流量計測が行われる。
ストレーナ１０にて目詰まりが発生すると、制御ユニット２６Ａは目詰まり信号を生成し、この目詰まり信号が通信手段７４から遠隔管理センタ７２の通信手段８４に送信され（ステップＳ２５）、その制御手段７６は受信した目詰まり信号に基づいて警報信号を生成し、この警報信号に基づいて警報手段８２が作動し、管理者はストレーナ１０にて目詰まりが発生したことを容易に知ることができる。この警報によって、作業者はストレーナ１０の点検、修理を行うようになり、ストレーナ１０の目詰まりの除去作業を迅速に行うことができる。
【００２９】
また、この目詰り信号に基づいて、制御ユニット２６Ａにて単位時間流量の検出が行われ（ステップＳ２７、ステップＳ２８）、次いで通常流路４の計測部４ａからバイパス流路１８への流路の切り換えが行われ（ステップ２９）、更にバイパス流路１８を流れる流体の流量計測が行われ（ステップＳ３０、ステップＳ３１）、この計測流量が表示手段４６に表示される（ステップＳ３２）。ステップＳ２７〜ステップＳ３２における動作は、上述した実施形態におけるステップＳ４〜ステップＳ９における動作と実質上同一である。供給流量演算手段４４からの演算流量値信号及び総流量演算手段３６からの総流量信号は、上述したと同様にして通信手段７４，８４を介して遠隔管理センタ７２の制御手段７６に送給され、これら総流量値及び演算流量値が表示手段８０に表示される（ステップＳ３３）。
【００３０】
バイパス流路１８を通して流体を流体機器２に供給する間にストレーナ１０の点検、修理を終了し、作業者が制御ユニット２６Ａのリセット手段４８を操作する（ステップＳ３５）と、制御ユニット２６Ａはリセット信号を生成し、このリセット信号が、上述したと同様にして通信手段７４，８４を介して遠隔管理センタ７２の制御手段７６に送給され（ステップｓ３６）、制御手段７６はリセット信号に基づいて警報手段８２の作動を停止し（ステップ３７）、遠隔管理センタ７２の管理者は、これによってストレーナ１０の点検、修理が終了したことを知る。
【００３１】
また、このリセット信号に基づいて供給流量計測手段３４はバイパス流路１８を流れる流体の流量の計測を終了し（ステップＳ３８、ステップｓ３９）、バイパス流路１８から通常流路４への流路の切り換えが行われる（ステップＳ４０）。ステップＳ３０〜ステップＳ４０における動作は、上述した実施形態におけるステップＳ１２〜ステップＳ１４における動作と実質上同一である。
このように、この実施形態では、制御ユニット２６Ａにて計測した各種流量信号が遠隔管理センタ７２に送信され、この遠隔管理センタ７２の表示手段４６に各種流量が表示されるので、遠隔管理センタ７２にて流体機器２に供給される流体の流量を管理することができる。
【００３２】
尚、上述した実施形態では、制御ユニット２６Ａの表示手段４６と遠隔管理センタ７２の表示手段８０の双方で各種流量を表示するようにしているが、遠隔管理センタ７２で管理する場合、制御ユニット２６Ａの表示手段８０を省略してもよい。
図５及び図６に示す実施形態では、流体機器２に供給される各流量（通常流路４の計測部４Ａを流れる流量、バイパス流路１８を流れる流体の流量及びこれらの総流量を制御ユニット２６（２６Ａ）にて演算して計測しているが、これに代えて、遠隔管理センタ７２の制御手段７６にて演算するようにしてもよい。かかる場合、遠隔管理センタ７２の制御手段７６にメータ計測手段３０及び流量演算手段３４を含め、流量メータ８からの計測値信号を通信手段７４，８４を介して遠隔管理センタ７２の制御手段７６に送給し、制御手段７６にて流量メータ８による計測流量値、供給流量計測手段３４による演算流量値及び総流量演算手段３６による演算総流量値を求めるようにしてもよい。
【００３３】
以上、本発明に従う流体流量計測システムの実施形態について説明したが、本発明はかかる実施形態に限定されるものではなく、本発明の範囲を逸脱することなく種々の変形乃至修正が可能である。
例えば、図示の実施形態では、バイパス流路１８を流れる流体の流量を計測する際の単位時間流量を、バイパス流路１８に切り換わる直前の流量メータ８の計測単位流量にしているが、これに代えて、この単位時間流量を流量メータ８の最大流量値に設定するようにしてもよい。例えば、流体機器２の定常運転状態において、流量メータ８の最大流量付近で流体が供給される場合、単位時間流量をこのように設定することによって、比較的簡単に且つ容易にバイパス流路１８を流れる流体の流量を計測することができる。
【００３４】
また、上述した構成に代えて、バイパス流路１８にそこを流れる流体の流量を調整するための流量調整弁を配設し、この流量調整弁のバルブ開度に対応した流量値を単位時間流量とするようにしてもよく、この場合、例えばバルブ開度に対応した流量値を自動的に供給流量計測手３４の単位流量記憶部３４に格納することができる。
【００３５】
【発明の効果】
本発明の請求項１の流体流量計測システムによれば、供給流量計測手段は、単位時間当たりの流量とバイパス流路を通して流体が流れる時間に基づいて流量を演算するので、比較的簡単に且つ比較的に正確にバイパス流量を流れる流体の流量を計測することができる。また、この供給流量計測手段による演算流量と流量メータによる計測流量に基づいて、流体機器の供給される流体の総流量も比較的簡単に且つ比較的正確に計測することができる。
【００３６】
また、本発明の請求項２の流体流量計測システムによれば、遠隔管理センタにて流体機器に供給される流体の流量を計測して管理することができる。
また、本発明の請求項３の流体流量計測システムによれば、単位時間当たりの流量が流量メータの最大流量値に設定されるので、流体機器の定常運転時に通常流路を通して流れる流体の流量がほぼ流量メータの最大値付近であるシステムにおいて、バイパス流路を通して流れる流体の流量を比較的簡単に且つ正確に計測することができる。
【００３７】
また、本発明の請求項４の流体流量計測システムによれば、単位時間当たりの流量がバイパス流路に切り換わる直前における流量メータの計測単位流量値に設定されるので、バイパス流路を通して流れる流体の流量をそのシステムに応じて比較的簡単に且つ正確に計測することができる。
更に、本発明の請求項５の流体流量計測システムによれば、単位時間当たりの流量がバイパス流路に配設された流量調整弁のバルブ開度に応じて設定されるので、バイパス流路を通して流れる流体の流量を正確に計測することができる。
【図面の簡単な説明】
【図１】本発明に従う流体流量計測システムの一実施形態の全体を簡略的に示すブロック図である。
【図２】図１の流体流量計測システムの制御ユニットを示すブロック図である。
【図３】図２の制御ユニットの表示手段を簡略的に示す正面図である。
【図４】図１の流体流量計測システムにおけるバイパス流路の流量計測の流れを示すフローチャートである。
【図５】流体流量計測システムの他の実施形態の要部を示すブロック図である。
【図６】図５の流体流量計測システムにおけるバイパス流路の流量計測の流れを示すフローチャートである。
【符号の説明】
２  流体機器
４  通常流路
４ａ  計測部
８  流量メータ
１０  ストレーナ
１４  第１センサ
１６  第２センサ
１８  バイパス流路
２０  第１開閉弁
２２  第２開閉弁
２４  バイパス開閉弁
２６，２６Ａ  制御ユニット
３０  メータ計測手段
３２  流量演算手段
３４  供給流量計測手段
３６  総流量演算手段
４０  時間記憶部
４２  単位流量記憶部
４６  表示手段
７２  遠隔管理センタ
８２  警報手段
【図１】
0004557411.tif 000002
【図２】
0004557411.tif 000003
【図３】
0004557411.tif 000004
【図４】
0004557411.tif 000005
【図５】
0004557411.tif 000006
【図６】
0004557411.tif 000007